(57)【要約】【課題】本発明は、着座者が良姿勢を保持することができるとともに落下の危険を防止することのできる車椅子用座面板であって、車椅子に簡単に装着できるとともに低コストで製作できる車椅子用座面板を提供する。【解決手段】下面に調節可能な調節部材を設け、該調節部材の端部に係止爪部を固定し、車椅子の座面サイドフレーム上に設けられた係止部に前記係止爪部を係止させることで車椅子に本発明の車椅子用座面板が装着される構成とする。【選択図】図４
2016077838.tif 000002
【特許請求の範囲】
【請求項１】
車椅子の座部に装着することのできる座面板であって、該座面板は調節可能な係止爪部を有し、該係止爪部を車椅子の座面部サイドフレーム上に設けた係止部に係合することで車椅子に係脱自在に装着可能としたことを特徴とする車椅子用座面板。
【請求項２】
前記座面板は、下面に係止爪部とこれに連結された調節部を有し、車椅子に取り付け場合には座面後部から座面前方に向けて一定の傾斜を有することを特徴とする請求項１記載の車椅子用座面板。
【発明の詳細な説明】
【技術分野】
【０００１】  本発明は、車椅子の座面に係脱自在に装着することのできる車椅子用座面板に関するものである。
【背景技術】
【０００２】  従来、高齢者や身体障害者等が使用する車椅子は、保管や持ち運びを容易にするために折り畳める構造となっており、それ故、座面や背面は布張りとなっているのが一般的である。【０００３】  ところが、座面が布張りとなっているために、着座者の自重により布張りにたわみが生じてしまい、座り心地が悪く、着座者が長時間適切な姿勢を保つことは困難であるという問題があった。また、着座者の臀部が座面前方にずれてしまい、いわゆるスベリ座位の姿勢になり、落下の危険性もあるという問題もあった。【０００４】  そこで、最近では、着座者の体型に合わせてスポンジや合板・プラスチック等の材料を使用し、カスタムメイドで製作したシート等が提案されているが、この方法では、最適な姿勢での形状を採型するのは困難であり、また、製作に長い時間と大きな費用がかかる。【０００５】  また、従来から使用されている車椅子用のクッションに、姿勢を改善させる機能を追加したものも販売されているが、座幅の異なる車いすへの適合も行うことが必要なため、布のたわみの影響を完全に排除する固いベースを最初から組み入れた製品はほとんどない。したがって、硬質の合板やスチールフレーム、プラスチック板などを下に敷いて使用する必要があり、厚みが大きくなり着座位置が高くなってしまうという問題があった。【０００６】  さらに、エアー等を使用した電動式のもので着座者の姿勢を保持したり、着座者の上体をカバーやベルトで固定して着座者の姿勢を保持するものも提案されているが、いずれも高コストであったり、構成が難しく容易に使用できないことや、身体の自由を拘束してしまうなどの問題があった。
【先行技術文献】
【特許文献】
【０００７】
【特許文献１】特開２０１０−１４２３６５号公報
【特許文献２】特開２００８−２３０６１号公報
【発明の概要】
【発明が解決しようとする課題】
【０００８】  解決しようとする問題点は、車椅子において、低い着座位置を保ったまま、着座者が適切な姿勢を保持することができ、長時間の座位でも苦痛がなく、座り心地の良い座面を構成するため、車椅子の座面に着脱自在の座面板を設けることにより、既製品の車椅子にも対応した安価な車椅子用座面板を提供することである。
【課題を解決するための手段】
【０００９】  本発明は、車椅子の座面に着脱自在に装着することのできる車椅子用座面板であって、該車椅子用座面板は調節可能な係止爪部を有し、該係止爪部を車椅子の座面部サイドフレーム上に設けた係止部に係合することで車椅子に着脱自在に装着可能としたことを特徴とする。【００１０】  また、本発明の車椅子用座面板は、下面に係止爪部とこれに連結された調節部を有し、車椅子に取り付け場合には座面後部から座面前方に向けて一定の傾斜を持ち、また人体に優しい三次元形状を有することを特徴とする。
【発明の効果】
【００１１】  本発明の車椅子用座面板によれば、従来の座面のたわみ等が解消されて座面が安定することから、着座者は良姿勢を保持することができ、長時間の座位でも苦痛がなく、バランスの良い座位をとることが可能となる。【００１２】  また、本発明の車椅子用座面板は、着座位置の上昇を最小限に抑えることができるため、安価な既製品車や現在本人が使用している車椅子に取り付けて使用する事ができるため、新たに高価な車椅子を購入する必要がない。【００１３】  また、本発明の車椅子用座面板は、サイドフレームに係止部を設けるだけで装着することが可能であり、その上に敷くクッションには特に機能性を求めないため安価なもので構わないなど、車椅子利用者に対して安価に提供することができる。【００１４】  また、本発明の車椅子用座面板は、車椅子に対して着脱自在であるため、車椅子の折り畳みもそのまま可能であり、従来の既製品が有する持ち運びや保管が容易にできるという機能を損なうこともない。【００１５】  さらに、本発明の車椅子用座面板は、車椅子に装着した場合、座面後部から座面前方に向けて一定の傾斜を有するため、着座者は安定したバランスで座位を保持することができ、着座者の臀部が前方にずれて落下するという危険性も解消することができる。
【図面の簡単な説明】
【００１６】
【図１】本発明に係る車椅子用座面板の上面を示す図である。
【図２】本発明に係る車椅子用座面板の下面を示す図である。
【図３】本発明に係る車椅子用座面板を車椅子に装着される途中の状態を示す説明図である。
【図４】本発明に係る車椅子用座面板が車椅子に装着された状態を示す図である。
【発明を実施するための形態】
【００１７】  以下、本発明の一実施の形態を図面に基づき説明する。図１及び図２は、本発明に係る車椅子用座面板３を示す図である。本発明の車椅子用座面板３は略板状体であり、下面の所定位置には係止爪部１０ａ及び１０ｂを備えている。該係止爪部１０ａ及び１０ｂは、調節部材１１及び１４の端部にそれぞれ固定されており、調節部材１１及び１４は、車椅子用座面板３の下面に可動可能に取り付けられている。そして、該調節部材１１及び１４は、中央部に貫通孔を有しており、これらの貫通孔が係合するようにネジ１５及び１６によって連結される。これにより、調節部材１１及び１４は横方向への可動が可能となり、係止爪部１０ａ及び１０ｂの位置を既製品の車椅子の座面幅に合わせて調節することができる。
【００１８】  尚、本実施形態の車椅子用座面板３の形状は略板状体であるが、着座者の体型や障害程度などに合わせて様々な形状とすることもできる。例えば、着座者の臀部や太股の位置に窪みを形成することも可能である。
【００１９】  図３は、本発明に係る車椅子用座面板３が車椅子１に装着される途中の状態を示す説明図である。車椅子１の座部サイドフレーム４ａ及び４ｂ上の所定位置には、あらかじめコ字型の金具を有する係止部１３ａ及び１３ｂが取り付けられている。そして、係止爪部１０ａ及び１０ｂが、係止部１３ａ及び１３ｂのコ字型金具に係合されることで車椅子１の座面５上に本発明の車椅子用座面板３が装着される。
【００２０】  該係止部１３ａ及び１３ｂのコ字型金具は、車椅子１の背面２方向に開口を有しており、これにより、着座者が車椅子の前方向にずれて加重が前方向にかかることに対して、係止部１３ａ及び１３ｂにおいてその加重を受け止めることができる。また、該係止部１３ａ及び１３ｂは、座部サイドフレーム４ａ及び４ｂ上に設けられることにより、着座者の体重を車椅子のサイドフレーム全体で支持することができ、従来のように着座者の自重により布張りの座面がたわむという問題を解消し、着座者は安定した座位を保つことが可能となる。
【００２１】  図４は、本発明に係る車椅子用座面板３が車椅子１に装着されている状態を示す図である。車椅子用座面板３は、下面に係止爪部１０ａ及び１０ｂと、これが固定された調節部材１１及び１４を備えており、そのため、車椅子用座面板３が車椅子１に装着された場合には、係止爪部１０ａ及び１０ｂの固定位置や、調節部材１１及び１４の大きさや厚さにより、車椅子１の背面から前方向に向けて一定の傾斜を有することになる。その結果、この傾斜により着座者が前方にずれて落下するという危険性を解消することが可能となる。尚、当該傾斜は、着座者の体型や障害の程度に合わせて、係止爪部１０ａ及び１０ｂの固定位置や調節部材１１及び１４の大きさ等を変えることにより任意に変更することができる。
【００２２】  以上の構成により、本発明の車椅子用座面板３は、既製品の車椅子に調節して装着することができ、取り外しも容易であるため、車椅子の折り畳み機能を損なうこともない。また、簡易な構成であるため、低コストで利用者に提供することができる。そして、本発明の車椅子用座面板の使用により、車椅子に着座した場合の座面のたわみが解消される他、人体に優しい形状によって、着座者は良姿勢で長時間苦痛なく車椅子に着座することができるとともに、車椅子の座面に対して一定の傾斜を有して装着されることから、着座者の臀部のずれや落下を防止し、安定したバランスでの着座を可能とすることができる。
【符号の説明】
【００２３】１          車椅子
２          背面部
３          座面板
４ａ、４ｂ  座部サイドフレーム
５          座面
１０ａ、１０ｂ    係止爪部
１１              調整部
１３ａ、１３ｂ    係止部
１１、１４        調節部材
１５、１６        ネジ部
【図１】
2016077838.tif 000003
【図２】
2016077838.tif 000004
【図３】
2016077838.tif 000005
【図４】
2016077838.tif 000006